【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
光電変換素子を備えた画素を有するエリアセンサから複数の信号線を介して出力信号を読み出す読み出し装置において、
前記各信号線に対応して設けられた複数の第１の低域通過フィルタと、
前記第１の低域通過フィルタを通過した信号をシリアル変換してデータ線に出力する変換手段と、
前記データ線に対応して設けられた第２の低域通過フィルタと、
を有することを特徴とする読み出し装置。
【請求項２】
前記データ線に対応して設けられ、前記第２の低域通過フィルタを通過したアナログ信号をデジタル信号に変換するアナログ／デジタル変換手段を有することを特徴とする請求項１に記載の読み出し装置。
【請求項３】
前記第２の低域通過フィルタの時定数をτ２とし、
前記エリアセンサからの１フレームの読み出しに必要な時間をＴｆとし、
前記アナログ／デジタル変換手段の数をＡとし、
前記信号線の本数をｍとし、
前記エリアセンサのゲート線の本数をｎとしたときに、
３・τ２≦Ｔｆ・Ａ／（ｍ・ｎ）の関係が満たされていることを特徴とする請求項２に記載の読み出し装置。
【請求項４】
前記第１の低域通過フィルタの時定数をτ１とし、
前記エリアセンサからの１フレームの読み出しに必要な時間をＴｆとし、
前記ゲート線の本数をｎとしたときに、
６・τ１≦Ｔｆ／ｎの関係が満たされていることを特徴とする請求項２又は３に記載の読み出し装置。
【請求項５】
前記第１及び第２の低域通過フィルタのカットオフ周波数は、少なくとも２段階に切り換え可能であることを特徴とする請求項１乃至４のいずれか１項に記載の読み出し装置。
【請求項６】
光電変換素子を備えた画素を有するエリアセンサと、
前記光電変換素子に設けられた複数の信号線を介して出力信号を読み出す読み出し装置と、
前記エリアセンサ及び読み出し装置の動作を制御する制御手段と、
を有し、
前記読み出し装置は、
前記各信号線に対応して設けられた複数の第１の低域通過フィルタと、
前記第１の低域通過フィルタを通過した信号をシリアル変換してデータ線に出力する変換手段と、
前記データ線に対応して設けられた第２の低域通過フィルタと、
を有し、
前記第１及び第２の低域通過フィルタのカットオフ周波数は、少なくとも２段階に切り換え可能であり、
前記制御手段は、撮影モードに応じて前記第１及び第２の低域通過フィルタの少なくとも一方のカットオフ周波数を切り換えることを特徴とする画像撮影装置。
【請求項７】
前記撮影モードとして、動画撮影モード及び静止画撮影モードが設定されており、
前記制御手段は、前記第１及び第２の低域通過フィルタの少なくとも一方のカットオフ周波数を、前記動画撮影モード時には、前記静止画撮影モード時よりも高くすることを特徴とする請求項６に記載の画像撮影装置。
【請求項８】
前記第１の低域通過フィルタの時定数をτ１とし、
前記第２の低域通過フィルタの時定数をτ２とし、
前記エリアセンサからの１フレームの読み出しに必要な時間をＴｆとし、
前記アナログ／デジタル変換手段の数をＡとし、
前記信号線の本数をｍとし、
前記エリアセンサのゲート線の本数をｎとしたときに、
３・τ２≦Ｔｆ・Ａ／（ｍ・ｎ）の関係、及び
６・τ１≦Ｔｆ／ｎの関係
がいずれの撮影モード時にも満たされていることを特徴とする請求項６又は７に記載の画像撮影装置。
【請求項９】
前記画素は、前記光電変換素子に接続された薄膜トランジスタを有し、
前記画素は、前記エリアセンサ内にアレー状に配列されていることを特徴とする請求項６乃至８のいずれか１項に記載の画像撮影装置。
【請求項１０】
前記エリアセンサは、少なくともアモルファスシリコン又はポリシリコンの少なくとも一方を原料として構成されていることを特徴とする請求項６乃至９のいずれか１項に記載の画像撮影装置。
【請求項１１】
前記エリアセンサはＸ線を検出するＸ線センサであることを特徴とする請求項６乃至１０のいずれか１項に記載の画像撮影装置。
【請求項１２】
前記エリアセンサは、照射されたＸ線の波長を変換する波長変換体を更に有することを特徴とする請求項１１に記載の画像撮影装置。
【請求項１３】
Ｘ線発生装置と、
光電変換素子を備えた画素を有するエリアセンサと、
前記光電変換素子に設けられた複数の信号線を介して出力信号を読み出す読み出し装置と、
前記Ｘ線発生装置、エリアセンサ及び読み出し装置の動作を制御する制御手段と、
を有し、
前記読み出し装置は、
前記各信号線に対応して設けられた複数の第１の低域通過フィルタと、
前記第１の低域通過フィルタを通過した信号をシリアル変換してデータ線に出力する変換手段と、
前記データ線に対応して設けられた第２の低域通過フィルタと、
を有し、
前記第１及び第２の低域通過フィルタのカットオフ周波数は、少なくとも２段階に切り換え可能であり、
前記制御手段は、撮影モードに応じて前記第１及び第２の低域通過フィルタの少なくとも一方のカットオフ周波数を切り換えることを特徴とするＸ線画像撮影システム。
【請求項１４】
光電変換素子を備えた画素を有するエリアセンサと、前記光電変換素子に設けられた複数の信号線を介して出力信号を読み出す読み出し装置と、を備え、前記読み出し装置は、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有する画像撮影装置を制御する方法であって、
撮影モードに応じて、少なくとも２段階に切り換え可能である前記第１及び第２の低域通過フィルタの少なくとも一方のカットオフ周波数を切り換えることを特徴とする画像撮影装置の制御方法。
【請求項１５】
光電変換素子を備えた画素を有するエリアセンサと、前記光電変換素子に設けられた複数の信号線を介して出力信号を読み出す読み出し装置と、を備え、前記読み出し装置は、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有する画像撮影装置の制御をコンピュータに行わせるためのプログラムであって、
コンピュータに、撮影モードに応じて、少なくとも２段階に切り換え可能である前記第１及び第２の低域通過フィルタの少なくとも一方のカットオフ周波数を切り換える処理を行わせることを特徴とするプログラム。
【手続補正２】
【補正対象書類名】明細書
【補正対象項目名】００２１
【補正方法】変更
【補正の内容】
【００２１】
本発明に係る読み出し装置は、光電変換素子を備えた画素を有するエリアセンサから複数の信号線を介して出力信号を読み出す読み出し装置において、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有することを特徴とする。
【手続補正３】
【補正対象書類名】明細書
【補正対象項目名】００２２
【補正方法】変更
【補正の内容】
【００２２】
本発明に係る画像撮影装置は、光電変換素子を備えた画素を有するエリアセンサと、前記光電変換素子に設けられた複数の信号線を介して出力信号を読み出す読み出し装置と、前記エリアセンサ及び読み出し装置の動作を制御する制御手段と、を有し、前記読み出し装置は、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有し、前記第１及び第２の低域通過フィルタのカットオフ周波数は、少なくとも２段階に切り換え可能であり、前記制御手段は、撮影モードに応じて前記第１及び第２の低域通過フィルタの少なくとも一方のカットオフ周波数を切り換えることを特徴とする。
【手続補正４】
【補正対象書類名】明細書
【補正対象項目名】００２３
【補正方法】変更
【補正の内容】
【００２３】
本発明に係る画像撮影装置の制御方法は、光電変換素子を備えた画素を有するエリアセンサと、前記光電変換素子に設けられた複数の信号線を介して出力信号を読み出す読み出し装置と、を備え、前記読み出し装置は、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有する画像撮影装置を制御する方法であって、撮影モードに応じて、少なくとも２段階に切り換え可能である前記第１及び第２の低域通過フィルタの少なくとも一方のカットオフ周波数を切り換えることを特徴とする。
【手続補正５】
【補正対象書類名】明細書
【補正対象項目名】００２４
【補正方法】変更
【補正の内容】
【００２４】
本発明に係るプログラムは、光電変換素子を備えた画素を有するエリアセンサと、前記光電変換素子に設けられた複数の信号線を介して出力信号を読み出す読み出し装置と、を備え、前記読み出し装置は、前記各信号線に対応して設けられた複数の第１の低域通過フィルタと、前記第１の低域通過フィルタを通過した信号をシリアル変換してデータ線に出力する変換手段と、前記データ線に対応して設けられた第２の低域通過フィルタと、を有する画像撮影装置の制御をコンピュータに行わせるためのプログラムであって、コンピュータに、撮影モードに応じて、少なくとも２段階に切り換え可能である前記第１及び第２の低域通過フィルタの少なくとも一方のカットオフ周波数を切り換える処理を行わせることを特徴とする。